(57)【要約】【課題】顧客操作画面上での入力指示に基づいて実行した四則計算等の計算結果を、自動取引処理を実行する際の取引金額として、簡便かつ確実に入力することが可能な自動取引装置を提供すること。【解決手段】取引金額および数値を含む取引情報を入力する取引情報入力手段と、取引情報入力手段によって入力された数値に基づいて四則計算を実行する計算手段と、取引情報入力手段によって入力された取引金額に基づいて、および計算手段によって計算された計算結果を取引金額として取引処理を実行する取引手段と、取引情報入力手段によって取引金額および数値を入力するための数字キー、四則計算を実行するための加減乗除キー、取引情報入力手段によって入力された取引金額、取引情報入力手段によって入力された数値、並びに計算手段によって計算された計算結果を表示する表示手段とを備える。【選択図】図２
2010128879.tif 000002
【特許請求の範囲】
【請求項１】
入力された取引金額での取引処理を実行する自動取引装置において、
前記取引金額および数値を含む取引情報を入力する取引情報入力手段と、
前記取引情報入力手段によって入力された前記数値に基づいて四則計算を実行する計算手段と、
前記取引情報入力手段によって入力された前記取引金額に基づいて、および前記計算手段によって計算された計算結果を前記取引金額として前記取引処理を実行する取引手段と、
前記取引情報入力手段によって前記取引金額および前記数値を入力するための数字キー、前記四則計算を実行するための加減乗除キー、前記取引情報入力手段によって入力された前記取引金額、前記取引情報入力手段によって入力された前記数値、並びに前記計算手段によって計算された前記計算結果を表示する表示手段と、
を備えることを特徴とする自動取引装置。
【請求項２】
前記取引情報入力手段は、
前記取引金額を入力する取引金額入力手段と、
前記計算手段によって四則計算を実行するための前記数値を入力する数値入力手段と、
前記計算手段によって四則計算を実行するための演算子を入力する演算子入力手段と、
を備え、
前記計算手段は、前記数値入力手段によって入力された前記数値および前記演算子入力手段によって入力された前記演算子に基づいて、前記四則計算を実行する、
ことを特徴とする請求項１に記載の自動取引装置。
【請求項３】
前記表示手段は、前記取引金額を入力するための第１の数字キー群と前記数値を入力するための第２の数字キー群とを兼用して同一領域に表示し、
前記取引金額入力手段は、前記表示手段によって兼用して表示された前記第１の数字キー群または前記第２の数字キー群を指示することにより前記取引金額を入力し、
前記数値入力手段は、前記表示手段によって兼用して表示された前記第１の数字キー群または前記第２の数字キー群を指示することにより前記数値を入力する、
ことを特徴とする請求項２に記載の自動取引装置。
【請求項４】
前記表示手段は、前記取引金額を入力するための第１の数字キー群と前記数値を入力するための第２の数字キー群とを異なる領域に表示し、
前記取引金額入力手段は、前記表示手段によって表示された前記第１の数字キー群を指示することにより前記取引金額を入力し、
前記数値入力手段は、前記表示手段によって表示された前記第２の数字キー群を指示することにより前記数値を入力する、
ことを特徴とする請求項２に記載の自動取引装置。
【発明の詳細な説明】
【技術分野】
【０００１】
本発明は、銀行等の金融機関やコンビニエンスストア等に設置され、顧客自身が操作することで入出金や振込等の自動取引処理を実行することが可能な自動取引装置に関する。
【背景技術】
【０００２】
従来、自動取引装置としての現金自動取引装置（ＡＴＭ：Automatic Teller's Machine）や自動現金支払機（ＣＤ：Cash Dispenser）では、顧客が出金額や振込額等の計算を行うために、自動取引装置の表示画面近傍に電卓を貼り付けて設置していた。ところが、電卓が盗難されたり、破損されたりすることで余分なメンテナンスの必要性が発生することや、顧客が電卓での計算結果を自動取引装置に入力しなければならないという手間がかかっていた。
【０００３】
このような問題点を解決するために、顧客の指示に基づいて、自動取引装置の金額入力画面から電卓機能を有する電卓機能画面に遷移し、電卓機能画面における計算の後、再度の顧客の指示に基づいて金額入力画面に戻り、電卓機能画面での計算結果を入力金額として表示する自動取引装置が開示されている（例えば、特許文献１参照。）。
【特許文献１】特許第３４０６６７６号公報
【発明の開示】
【発明が解決しようとする課題】
【０００４】
しかしながら、従来の自動取引装置において電卓機能を利用して計算を行うためには、金額入力画面から電卓機能画面へ顧客の指示に基づいて遷移させる必要があったり、電卓機能画面から金額入力画面へ戻る際にも顧客の指示が必要であったりするため、自動取引装置の操作が非常に煩雑になる、という問題点があった。
【０００５】
また、電卓機能画面から金額入力画面へ画面遷移させる必要があるので、電卓機能画面での計算結果が本当に金額入力画面に反映されているのかどうか、顧客が不安に思ってしまうことがある、という問題点があった。
【０００６】
本発明は、かかる問題を解決するためのもので、顧客操作画面上での入力指示に基づいて実行した四則計算等の計算結果を、自動取引処理を実行する際の取引金額として、簡便かつ確実に入力することが可能な自動取引装置を提供することを目的とする。
【課題を解決するための手段】
【０００７】
本発明は、上記課題を解決するため、下記のような構成を採用した。
すなわち、本発明の一態様によれば、本発明の自動取引装置は、入力された取引金額での取引処理を実行する自動取引装置において、前記取引金額および数値を含む取引情報を入力する取引情報入力手段と、前記取引情報入力手段によって入力された前記数値に基づいて四則計算を実行する計算手段と、前記取引情報入力手段によって入力された前記取引金額に基づいて、および前記計算手段によって計算された計算結果を前記取引金額として前記取引処理を実行する取引手段と、前記取引情報入力手段によって前記取引金額および前記数値を入力するための数字キー、前記四則計算を実行するための加減乗除キー、前記取引情報入力手段によって入力された前記取引金額、前記取引情報入力手段によって入力された前記数値、並びに前記計算手段によって計算された前記計算結果を表示する表示手段とを備えることを特徴とする。
【０００８】
また、本発明の自動取引装置は、前記取引情報入力手段が、前記取引金額を入力する取
引金額入力手段と、前記計算手段によって四則計算を実行するための前記数値を入力する数値入力手段と、前記計算手段によって四則計算を実行するための演算子を入力する演算子入力手段とを備え、前記計算手段が、前記数値入力手段によって入力された前記数値および前記演算子入力手段によって入力された前記演算子に基づいて、前記四則計算を実行することが望ましい。
【０００９】
また、本発明の自動取引装置は、前記表示手段が、前記取引金額を入力するための第１の数字キー群と前記数値を入力するための第２の数字キー群とを兼用して同一領域に表示し、前記取引金額入力手段が、前記表示手段によって兼用して表示された前記第１の数字キー群または前記第２の数字キー群を指示することにより前記取引金額を入力し、前記数値入力手段が、前記表示手段によって兼用して表示された前記第１の数字キー群または前記第２の数字キー群を指示することにより前記数値を入力することが望ましい。
【００１０】
また、本発明の自動取引装置は、前記表示手段が、前記取引金額を入力するための第１の数字キー群と前記数値を入力するための第２の数字キー群とを異なる領域に表示し、前記取引金額入力手段が、前記表示手段によって表示された前記第１の数字キー群を指示することにより前記取引金額を入力し、前記数値入力手段が、前記表示手段によって表示された前記第２の数字キー群を指示することにより前記数値を入力することが望ましい。
【発明の効果】
【００１１】
本発明によれば、入力された数値に基づいて実行された計算結果を、自動取引処理を実行する際の取引金額として、簡便かつ確実に入力することができる。
【発明を実施するための最良の形態】
【００１２】
以下、図面に基づいて本発明を適用した実施の形態を説明する。
図１は、本発明の自動取引装置の概要を説明するための図である。
図１において、自動取引装置１は、銀行等の金融機関の店舗またはコンビニエンスストア等の店舗等に設置されたＡＴＭ等であり、顧客操作表示部１１、カードリーダライタ部１２、入出金部１３、記憶部１４、および制御部１５を備える。そして、この自動取引装置１は、ネットワーク２を介してホストコンピュータ３に通信可能に接続され、そのホストコンピュータ３から取引を許可する旨の電文を受信して、現金引出し、現金入金および振込み等の各種取引を行う。
【００１３】
顧客操作表示部１１は、タッチパネル等の操作部および液晶ディスプレイやＣＲＴディスプレイ等の表示部で構成されたものであり、液晶ディスプレイ等の表示部上にタッチパネルを配置し、顧客が入力操作等を行なうものである。また、取引選択画面、顧客が選択した取引に対して顧客の入力操作等の誘導を行なう画面および入力された情報等も表示する。
【００１４】
カードリーダライタ部１２は、カード読取り書込み機構を備え、顧客がカード挿入口に挿入したキャッシュカードの磁気ストライプやＩＣ（Integrated Circuit）チップ等から口座番号等の顧客情報を読取る。口座番号等を読取ったキャッシュカードは、カード排出口から排出して顧客に返却される。また、このカードリーダライタ部１２は、明細票印刷機構および明細票搬送機構を備え、顧客が行った取引の内容を印刷した明細票を明細票排出口から排出して顧客に発行する機能も有している。
【００１５】
入出金部１３は、紙幣入出金機および硬貨入出金機で構成され、現金出金取引や現金入金取引に伴う紙幣や硬貨の入出金処理を行なう。ここで、入金処理とは、顧客が紙幣入出金口に入れた紙幣を紙幣入出金機で計数して金庫に収納し、硬貨入出金口に入れた硬貨を硬貨入出金機で計数して金庫に収納することである。また、出金処理とは、顧客の操作に
より指定した金額に相当する紙幣および硬貨を、それぞれ紙幣入出金機および硬貨入出金機の金庫から繰り出して計数し、紙幣入出金口および硬貨入出金口に搬送して顧客に払い出すことである。
【００１６】
記憶部１４は、半導体メモリや磁気ディスク等で構成され、情報を記憶し、記憶した情報を読取ることができるものである。この記憶部１４は、自動取引装置１全体の動作を制御する制御プログラム（ソフトウェア）、顧客操作表示部１１に表示する画面データおよび顧客が行なう取引に必要な情報等の他、本発明を実現するための自動取引処理プログラムを記憶する。この自動取引処理プログラムの動作については、図３、図５および図７のフローチャート並びに図４、図６および図８の画面例を用いて後述する。
【００１７】
制御部１５は、ＣＰＵ（Central Processing Unit）、ＭＰＵ（Micro Processing Unit）等で構成されたものであり、上述した顧客操作表示部１１、カードリーダライタ部１２、入出金部１３、記憶部１４およびネットワーク２を介してホストコンピュータ３等との間で通信を行う図示しない通信部を含め、自動取引装置１全体の動作を記憶部１４に格納された制御プログラム（ソフトウェア）に基づいて制御する。また、制御部１５は、電卓機能を有し、入力された数値および演算子に基づいて、加減乗除の四則計算を実行する。さらに、制御部１５は、記憶部１４に記憶された自動取引処理プログラムを読み出して実行する。
【００１８】
ホストコンピュータ３は、銀行等の金融機関の事務センタ等に設置される自動取引装置１の上位装置であり、いわゆる口座管理サーバである。このホストコンピュータ３は、ＣＰＵ等の演算部、半導体メモリ等の記憶部、通信制御部、および制御部等を備えるものであり、ネットワーク２を介して自動取引装置１等と相互に通信可能に接続されている。
【００１９】
図２は、本発明の自動取引装置が備える機能ブロック図である。
図２において、自動取引装置１は、取引情報入力手段１１０、計算手段１２０、取引手段１３０および表示手段１４０を備え、入力された取引金額での自動取引処理を実行する。
【００２０】
前記取引情報入力手段１１０は、取引金額入力手段１１１、数値入力手段１１２および演算子入力手段１１３を備え、自動取引処理を実行するために、取引金額および数値を含む取引情報を入力する。すなわち、前記取引金額入力手段１１１は、顧客が取引したい金額が分かっている場合には、前記取引金額そのものを直接入力する。他方、顧客が取引したい金額を計算していない場合は、前記数値入力手段１１２が、前記計算手段１２０によって四則計算を実行するための前記数値を入力し、前記演算子入力手段１１３が、前記計算手段１２０によって四則計算を実行するための演算子を入力する。ここで、「演算子」とは、加算を示す「＋」、減算を示す「−」、乗算を示す「×」および除算を示す「÷」等の算術演算子と、演算の終了を示す「＝」等の関係演算子を含む。
【００２１】
そして、前記計算手段１２０は、前記取引情報入力手段１１０が備える数値入力手段１１２および演算子入力手段１１３によって入力された前記数値および前記演算子に基づいて四則計算を実行する。
【００２２】
前記取引手段１３０は、顧客が取引したい金額が分かっている場合には、前記取引情報入力手段１１０によって入力された前記取引金額に基づいて前記自動取引処理を実行する。また、顧客が取引したい金額を計算していない場合、前記取引手段１３０は、前記計算手段１２０によって計算された計算結果を前記取引金額として前記自動取引処理を実行する。
【００２３】
前記表示手段１４０は、前記取引情報入力手段１１０によって前記取引金額および前記数値を入力するための数字キー、前記四則計算を実行するための加減乗除キー、前記取引情報入力手段１１０によって入力された前記取引金額、前記取引情報入力手段１１０によって入力された前記数値、並びに前記計算手段１２０によって計算された前記計算結果を、それぞれ所定の領域に表示する。
【００２４】
例えば、前記表示手段１４０は、前記取引金額を入力するための第１の数字キー群と前記数値を入力するための第２の数字キー群とを異なる領域に表示する。あるいは、前記表示手段１４０は、前記取引金額を入力するための第１の数字キー群と前記数値を入力するための第２の数字キー群とを兼用して同一領域に表示してもよい。その際、前記取引金額入力手段１１１は、前記表示手段１４０によって表示された前記第１の数字キー群、あるいは兼用して表示された前記第１の数字キー群または前記第２の数字キー群を指示することにより前記取引金額を入力する。また、前記数値入力手段１１２は、前記表示手段１４０によって表示された前記第２の数字キー群、あるいは兼用して表示された前記第１の数字キー群または前記第２の数字キー群を指示することにより前記数値を入力する。
以上、本発明の自動取引装置の概要および機能を説明した。
【００２５】
次に、本発明を適用した第１乃至第３の実施の形態を説明する。
（第１の実施の形態）
まず、図３および図４を用いて、本発明を適用した第１の実施の形態を説明する。
図３は、本発明を適用した第１の実施の形態における自動取引処理の流れを示すフローチャートであり、図４は、本発明を適用した第１の実施の形態における入力画面の表示例を示す図である。
【００２６】
図３に示した自動取引処理は、記憶部１４が記憶する自動取引処理プログラムを、自動取引装置１の制御部１５が読み出して実行することにより行われる。
第１の実施の形態は、キャッシュカードを用いた出金取引の例であり、金額入力画面の一部に電卓を表示し、その計算結果を電卓エリアに表示する形態である。この際、顧客は、計算結果を参照して取引金額を入力する。
【００２７】
まず、ステップＳ３０１において、種々の取引項目を表示した「顧客待ち画面」を表示する。この「顧客待ち画面」において、取引項目の１つである「出金」キーが押下されると、ステップＳ３０２において、キャッシュカードの挿入を促す「カード挿入画面」を表示する。そして、キャッシュカードが挿入されると、ステップＳ３０３において、暗証番号を入力するための「暗証入力画面」を表示する。
ステップＳ３０３で暗証番号が入力され本人確認が完了すると、ステップＳ３０４において、図４に示したような、取引金額を入力するための「金額入力画面」を表示する。
【００２８】
次に、ステップＳ３０５において、取引金額を入力するにあたって、顧客が計算を必要とするか否かを判断し、必要としないと判断した場合、すなわち、顧客が取引したい金額を分かっている場合（ステップＳ３０５：Ｎｏ）は、ステップＳ３０６において、「第１のキー群」４０１を用いてその取引金額を直接キー入力する。ここで、「第１のキー群」４０１の各キーには、金額を入力するための数字キー、万キー、千キー、「第１の数値表示領域」４０２に表示された数値をクリアするための訂正キー、入力金額を確定し、次の画面に進むための円キー等がある。
【００２９】
ステップＳ３０６で入力された取引金額は、ステップＳ３０７において、「第１の数値表示領域」４０２に表示される。ここで表示された取引金額は、後述するように「第１のキー群」４０１の円キー押下により、次画面（金額確認画面）に代入され、金額確認画面
での確認キー押下により取引金額として確定する。ところが、ステップＳ３０６で入力され、ステップＳ３０７で「第１の数値表示領域」４０２に取引金額が表示されている途中で、計算を必要とするか否かを判断する場合がある。そこで、ステップＳ３０８において、顧客が金額入力途中で計算を必要とするか否かを判断する。
【００３０】
金額入力途中で計算を必要としないと判断された場合（ステップＳ３０８：Ｎｏ）は、ステップＳ３０９において、「第１のキー群」４０１で円キーを押下し、ステップＳ３１０において、入力された取引金額を確定し、次画面へ進む。なお、入力された取引金額は金額確認画面に表示される。そして、ステップＳ３１１において、金額確認画面を表示して、取引金額を確認した後、ステップＳ３１２において、確定した金額を、取引金額としてホストコンピュータ３へ送信し、ホストコンピュータ３がこれを受信する。
【００３１】
次に、ステップＳ３１３において、キャッシュカードおよび現金等の媒体を放出し、ステップＳ３１４において、取引を終了する。
他方、ステップＳ３０５で、顧客が取引したい金額を計算していない場合（ステップＳ３０５：Ｙｅｓ）、あるいは、ステップＳ３０８で、金額入力途中で計算を必要とすると判断された場合（ステップＳ３０８：Ｙｅｓ）は、ステップＳ３１５において、「第２のキー群」４０３を用いてその計算に必要なキー入力を行う。すなわち、一般的な電卓と同様のキーである数字キー、加減乗除キー等を用いて四則計算を実行する。ところが、計算途中で計算が不要となる場合がある。そこで、ステップＳ３１６において、顧客が計算途中で計算が不要となったか否かを判断する。
【００３２】
計算が不要でなければ（ステップＳ３１６：Ｎｏ）、ステップＳ３１７において、計算結果は「第２の数値表示領域」４０４に表示される。なお、「第２の数値表示領域」４０４には、通常の電卓の表示欄と同様、計算結果のみならず、ステップＳ３１５での入力内容も表示される。なお、計算結果は、「第２の数値表示領域」４０４への表示のみであり、「第１の数値表示領域」４０１への表示は行わない。また、計算結果は金額であるので、小数点以下は不要である。そこで、計算結果に小数点以下が含まれる場合は、小数点以下を切り捨てて表示しても良いし、小数点以下を切り上げて表示しても良いし、小数点以下を四捨五入して表示しても良い。
【００３３】
さらに、計算結果が表示された段階でも計算が不要となる場合がある。そこで、ステップＳ３１８において、顧客が計算途中で計算が不要となったか否かを判断する。計算が不要でなければ（ステップＳ３１８：Ｎｏ）、ステップＳ３１９において、「第２の数値表示領域」４０４に表示された表示内容を確認する。
【００３４】
他方、ステップＳ３１６またはステップＳ３１８で計算が不要であると判断された場合（ステップＳ３１６：Ｙｅｓ、ステップＳ３１８：Ｙｅｓ）は、ステップＳ３２０において、ステップＳ３０６と同様に、「第１のキー群」４０１を用いてその取引金額を直接キー入力する。そして、ステップＳ３２１において、ステップＳ３０７と同様に、ステップＳ３２０で入力された取引金額が「第１の数値表示領域」４０２に表示される。そして、上述したステップＳ３０９乃至ステップＳ３１４を実行する。
【００３５】
（第２の実施の形態）
次に、図５および図６を用いて、本発明を適用した第２の実施の形態を説明する。
図５は、本発明を適用した第２の実施の形態における自動取引処理の流れを示すフローチャートであり、図６は、本発明を適用した第２の実施の形態における入力画面の表示例を示す図である。
【００３６】
図５に示した自動取引処理は、第１の実施の形態と同様、記憶部１４が記憶する自動取
引処理プログラムを、自動取引装置１の制御部１５が読み出して実行することにより行われる。
【００３７】
第２の実施の形態は、第１の実施の形態と同様キャッシュカードを用いた出金取引の例である。本第２の実施の形態は、金額入力画面の一部に電卓を表示し、その計算結果を「お取引金額」エリアに表示する形態である。電卓エリア内には計算結果を表示する領域を設けず、計算結果がそのまま取引金額として自動的に入力される。
【００３８】
まず、ステップＳ３０１において、種々の取引項目を表示した「顧客待ち画面」を表示する。この「顧客待ち画面」において、取引項目の１つである「出金」キーが押下されると、ステップＳ３０２において、キャッシュカードの挿入を促す「カード挿入画面」を表示する。そして、キャッシュカードが挿入されると、ステップＳ３０３において、暗証番号を入力するための「暗証入力画面」を表示する。
【００３９】
ステップＳ３０３で暗証番号が入力され本人確認が完了すると、ステップＳ３０４において、図６に示したような、取引金額を入力するための「金額入力画面」を表示する。
次に、ステップＳ３０５において、取引金額を入力するにあたって、顧客が計算を必要とするか否かを判断し、必要としないと判断した場合、すなわち、顧客が取引したい金額を分かっている場合（ステップＳ３０５：Ｎｏ）は、ステップＳ３０６において、「第１のキー群」４０１を用いてその取引金額を直接キー入力する。ここで、「第１のキー群」４０１の各キーには、金額を入力するための数字キー、万キー、千キー、「第１の数値表示領域」４０２に表示された数値をクリアするための訂正キー、入力金額を確定し、次の画面に進むための円キー等がある。
【００４０】
ステップＳ３０６で入力された取引金額は、ステップＳ３０７において、「第１の数値表示領域」４０２に表示される。ここで表示された取引金額は、後述するように「第１のキー群」４０１の円キー押下により、次画面（金額確認画面）に代入され、金額確認画面での確認キー押下により取引金額として確定する。ところが、ステップＳ３０６で入力され、ステップＳ３０７で「第１の数値表示領域」４０２に取引金額が表示されている途中で、計算を必要とするか否かを判断する場合がある。そこで、ステップＳ３０８において、顧客が金額入力途中で計算を必要とするか否かを判断する。
【００４１】
金額入力途中で計算を必要としないと判断された場合（ステップＳ３０８：Ｎｏ）は、ステップＳ３０９において、「第１のキー群」４０１で円キーを押下し、ステップＳ３１０において、入力された取引金額を確定し、次画面へ進む。なお、入力された取引金額は金額確認画面に表示される。そして、ステップＳ３１１において、金額確認画面を表示して、取引金額を確認した後、ステップＳ３１２において、確定した金額を、取引金額としてホストコンピュータ３へ送信し、ホストコンピュータ３がこれを受信する。
【００４２】
次に、ステップＳ３１３において、キャッシュカードおよび現金等の媒体を放出し、ステップＳ３１４において、取引を終了する。
他方、ステップＳ３０５で、顧客が取引したい金額を計算していない場合（ステップＳ３０５：Ｙｅｓ）、あるいは、ステップＳ３０８で、金額入力途中で計算を必要とすると判断された場合（ステップＳ３０８：Ｙｅｓ）は、ステップＳ３１５において、「第２のキー群」４０３を用いてその計算に必要なキー入力を行う。すなわち、一般的な電卓と同様のキーである数字キー、加減乗除キー等を用いて四則計算を実行する。
【００４３】
そして、ステップＳ５０１において、ステップＳ３１５で入力されたキーの内容および四則計算の計算結果を「第１の数値表示領域」４０２に表示する。ただし、計算結果は金額であるので、小数点以下は不要である。そこで、計算結果に小数点以下が含まれる場合
は、小数点以下を切り捨てて表示しても良いし、小数点以下を切り上げて表示しても良いし、小数点以下を四捨五入して表示しても良い。
【００４４】
ところが、計算途中で計算が不要となる場合がある。そこで、ステップＳ５０２において、顧客が計算途中で計算が不要となり、さらに入力するか否かを判断する。計算が不要であり、さらに入力する場合（ステップＳ５０２：Ｙｅｓ）は、ステップＳ３２０において、ステップＳ３０６と同様に、「第１のキー群」４０１を用いてその取引金額を直接キー入力する。そして、ステップＳ３２１において、ステップＳ３０７と同様に、ステップＳ３２０で入力された取引金額が「第１の数値表示領域」４０２に表示される。そして、上述したステップＳ３０９乃至ステップＳ３１４を実行する。
【００４５】
他方、ステップＳ５０２で計算が不要でなければ（ステップＳ５０２：Ｙｅｓ）は、ステップＳ３０９に進み、それ以降の処理、すなわち、ステップＳ３０９乃至ステップＳ３１４を実行する。
【００４６】
上述したように、本第２の実施の形態においては、「第１のキー群」４０１を用いて直接入力された取引金額、「第２のキー群」４０３を用いて入力された内容および実行された四則計算の計算結果が、「第１の数値表示領域」４０２に表示される。
【００４７】
（第３の実施の形態）
次に、図７および図８を用いて、本発明を適用した第３の実施の形態を説明する。なお、第１の実施の形態や第２の実施の形態と共通する事項に関してはその説明を省略し、第１の実施の形態や第２の実施の形態と異なる事項についてのみ説明する。
【００４８】
図７は、本発明を適用した第３の実施の形態における自動取引処理の流れを示すフローチャートであり、図８は、本発明を適用した第３の実施の形態における入力画面の表示例を示す図である。
【００４９】
図７に示した自動取引処理は、第１の実施の形態または第２の実施の形態と同様、記憶部１４が記憶する自動取引処理プログラムを、自動取引装置１の制御部１５が読み出して実行することにより行われる。
【００５０】
第３の実施の形態は、第１の実施の形態および第２の実施の形態と同様キャッシュカードを用いた出金取引の例である。本第３の実施の形態は、金額入力画面に、四則計算用の演算子キー（「÷」「×」「−」「＋」「＝」）のみを追加して表示し、その計算結果を第２の実施の形態と同様「お取引金額」エリアに表示する形態である。計算結果はそのまま取引金額として自動的に入力される。
【００５１】
まず、ステップＳ３０１の「顧客待ち画面」の表示、ステップＳ３０２の「カード挿入画面」の表示、そして、ステップＳ３０３の「暗証入力画面」の表示は、第１の実施の形態および第２の実施の形態と同様である。
【００５２】
そして、ステップＳ３０３で暗証番号が入力され本人確認が完了すると、ステップＳ３０４において、図８に示したような、取引金額を入力するための「金額入力画面」を表示する。
【００５３】
次のステップＳ３０５からステップＳ３０６、Ｓ３０７、Ｓ３０８乃至ステップＳ３１４への流れも、第１の実施の形態および第２の実施の形態と同様である。
そして、ステップＳ３０５で、顧客が取引したい金額を計算していない場合（ステップＳ３０５：Ｙｅｓ）、あるいは、ステップＳ３０８で、金額入力途中で計算を必要とすると判断された場合（ステップＳ３０８：Ｙｅｓ）、本第３の実施の形態では、ステップＳ
７０１において、「第１のキー群」４０１および「第３のキー群」８０１を用いてその計算に必要なキー入力を行う。すなわち、一般的な電卓と同様のキーである数字キーを「第１のキー群」４０１を用いて、加減乗除キー等を「第３のキー群」８０１を用いて入力し、四則計算を実行する。
【００５４】
そして、ステップＳ５０１以降の処理は、第２の実施の形態と同様に実行する。
上述したように、本第３の実施の形態においては、「第１のキー群」４０１を用いて直接入力された取引金額、「第１のキー群」４０１および「第３のキー群」８０１を用いて入力された内容および実行された四則計算の計算結果が、「第１の数値表示領域」４０２に表示される。
【００５５】
以上、本発明の実施の形態を、図面を参照しながら説明してきたが、本発明が適用される自動取引装置１は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００５６】
また、バスに接続されたＣＰＵ、ＲＯＭやＲＡＭのメモリ、入力装置、出力装置、外部記録装置、媒体駆動装置、可搬記録媒体、ネットワーク接続装置で構成されるシステムでも実現できる。すなわち、前述してきた実施の形態のシステムを実現するソフトェアのプログラムコードを記録したＲＯＭやＲＡＭのメモリ、外部記録装置、可搬記録媒体を、自動取引装置１に供給し、その自動取引装置１のコンピュータがプログラムコードを読み出し実行することによっても、達成されることは言うまでもない。
【００５７】
この場合、可搬記録媒体等から読み出されたプログラムコード自体が本発明の新規な機能を実現することになり、そのプログラムコードを記録した可搬記録媒体等は本発明を構成することになる。
【００５８】
プログラムコードを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００５９】
また、コンピュータがメモリ上に読み出したプログラムコードを実行することによって、前述した実施の形態の機能が実現される他、そのプログラムコードの指示に基づき、コンピュータ上で稼動しているＯＳなどが実際の処理の一部または全部を行ない、その処理によっても前述した実施の形態の機能が実現される。
【００６０】
さらに、可搬型記録媒体から読み出されたプログラムコードやプログラム（データ）提供者から提供されたプログラム（データ）が、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行ない、その処理によっても前述した実施の形態の機能が実現され得る。
【００６１】
すなわち、本発明は、以上に述べた実施の形態に限定されるものではなく、本発明の要旨を逸脱しない範囲内で種々の構成または形状を取ることができる。
【図面の簡単な説明】
【００６２】
【図１】本発明の自動取引装置の概要を説明するための図である。
【図２】本発明の自動取引装置が備える機能ブロック図である。
【図３】本発明を適用した第１の実施の形態における自動取引処理の流れを示すフローチャートである。
【図４】本発明を適用した第１の実施の形態における入力画面の表示例を示す図である。
【図５】本発明を適用した第２の実施の形態における自動取引処理の流れを示すフローチャートである。
【図６】本発明を適用した第２の実施の形態における入力画面の表示例を示す図である。
【図７】本発明を適用した第３の実施の形態における自動取引処理の流れを示すフローチャートである。
【図８】本発明を適用した第３の実施の形態における入力画面の表示例を示す図である。
【符号の説明】
【００６３】
１      自動取引装置
２      ネットワーク
３      ホストコンピュータ
１１      顧客操作表示部
１２      カードリーダライタ部
１３      入出金部
１４      記憶部
１５      制御部
１１０      取引情報入力手段
１１１      取引金額入力手段
１１２      数値入力手段
１１３      演算子入力手段
１２０      計算手段
１３０      取引手段
１４０      表示手段
４０１      第１のキー群
４０２      第１の数値表示領域
４０３      第２のキー群
４０４      第２の数値表示領域
８０１      第３のキー群
【図１】
2010128879.tif 000003
【図２】
2010128879.tif 000004
【図３】
2010128879.tif 000005
【図５】
2010128879.tif 000006
【図７】
2010128879.tif 000007
【図４】
2010128879.tif 000008
【図６】
2010128879.tif 000009
【図８】
2010128879.tif 000010